(57)【要約】【課題】写真シール作成装置を利用するユーザの顔の表情を判別することのできる管理サーバを提供する。【解決手段】本発明の一態様に係る管理サーバ（４）は、撮影画像に対して編集処理を施して得られた編集画像、及び、当該撮影画像における人物の顔の特徴量を示す編集前特徴量情報を写真シール作成装置から取得する通信制御部（３１１）と、編集前特徴量情報を参照して人物の顔の表情を判別する表情判別部（４４１）と、表情判別部（４４１）による判別結果を編集画像に関連づけて管理する管理部（４４２）と、を備えている。【選択図】図１８
2015180016.tif 000002
【特許請求の範囲】
【請求項１】
人物を撮影して生成された撮影画像、当該撮影画像に対して編集処理を施して得られた編集画像、及び、当該撮影画像における当該人物の顔の特徴量を示す第１特徴量情報を写真シール作成装置から取得する取得手段と、
上記第１特徴量情報を参照して、上記人物の顔の表情を判別する判別手段と、
上記判別手段による判別結果を、上記撮影画像および編集画像の少なくとも何れかに関連づけて管理する管理手段と、を備えている、
ことを特徴とする管理サーバ。
【請求項２】
上記判別手段は、上記第１特徴量情報の示す上記人物の顔の特徴量と、基準となる基準顔の特徴量とを比較することにより、上記人物の顔がどのような表情であるかを判別する、
ことを特徴とする請求項１に記載の管理サーバ。
【請求項３】
上記判別手段は、上記第１特徴量情報の示す上記人物の顔の特徴量と、基準となる基準顔の特徴量との差の大きさに応じて、上記人物の顔の表情の変化の度合いを判別する、
ことを特徴とする請求項１又は２に記載の管理サーバ。
【請求項４】
上記第１特徴量情報の示す上記特徴量には、上記人物の顔の各部位の位置情報、形状情報、及び大きさ情報の少なくとも何れかが含まれており、
上記編集画像から当該編集画像における上記人物の顔の特徴量であって、上記第１特徴量情報に含まれる情報と同じ情報を１つ以上含む特徴量を検出する検出手段を更に備え、
上記管理手段は、上記検出手段により検出された上記編集画像における上記人物の顔の特徴量を示す第２特徴量情報を、上記第１特徴量情報および上記編集画像に関連づけて管理する、
ことを特徴とする請求項１から３の何れか１項に記載の管理サーバ。
【請求項５】
上記編集画像の面積に対する当該編集画像における上記人物の顔の面積の割合を判定する顔面積判定手段を更に備え、
上記管理手段は、上記顔面積判定手段による判定結果を、上記編集画像に関連づけて管理する、
ことを特徴とする請求項１から４の何れか１項に記載の管理サーバ。
【請求項６】
上記第１特徴量情報には、上記人物の顔の各部位の位置情報が含まれており、
上記人物の顔の各部位の位置情報に基づいて当該人物の年齢を推定する推定手段を更に備えている、
ことを特徴とする請求項１から５の何れか１項に記載の管理サーバ。
【請求項７】
人物を撮影して生成された撮影画像に対して編集処理を施して得られた編集画像、及び、当該編集処理の内容を示す編集情報を写真シール作成装置から取得する取得手段と、
上記編集情報を参照して上記編集画像から上記撮影画像を復元し、復元した撮影画像から当該復元した撮影画像における上記人物の顔の特徴量を抽出する特徴量抽出手段と、
上記特徴量抽出手段により抽出された上記人物の顔の特徴量、及び上記編集画像を参照して、上記編集画像における上記人物の顔の表情を判別する判別手段と、
上記判別手段による判別結果を、上記編集画像に関連づけて管理する管理手段と、を備えている
ことを特徴とする管理サーバ。
【請求項８】
人物を撮影して生成された撮影画像に対して編集処理を施すことにより編集画像を生成する画像生成手段と、
上記撮影画像における上記人物の顔の特徴量を抽出する抽出手段と、
上記編集画像、及び、上記抽出手段により抽出された上記人物の顔の特徴量を示す特徴量情報を外部へ送信する送信手段と、を備えている、
ことを特徴とする写真シール作成装置。
【請求項９】
上記特徴量情報を参照して、上記人物の顔の表情を判別する判別手段を更に備え、
上記送信手段は、上記判別手段による判別結果を、上記撮影画像に関連づけて送信する、
ことを特徴とする請求項８に記載の写真シール作成装置。
【請求項１０】
撮影する際に当該撮影が実行される旨のアナウンスを出力する出力手段を更に備え、
上記抽出手段は、上記撮影画像を生成するために取得される画像から当該画像における人物の顔の特徴量を抽出し、
上記判別手段は、上記画像における人物の顔の特徴量を参照して、上記人物の顔の表情を判別し、
上記出力手段は、上記判別手段による判定結果に応じて上記アナウンスを出力する、
ことを特徴とする請求項９に記載の写真シール作成装置。
【請求項１１】
人物を撮影する写真シール作成装置と、画像を管理する管理サーバと、を備える画像管理システムであって、
上記写真シール作成装置は、
人物を撮影して生成された撮影画像に対して編集処理を施すことにより編集画像を生成する画像生成手段と、
上記撮影画像における上記人物の顔の特徴量を抽出する抽出手段と、
上記編集画像、及び、上記抽出手段により抽出された上記人物の顔の特徴量を示す特徴量情報を外部へ送信する送信手段と、を備え、
上記管理サーバは、
上記編集画像および上記特徴量情報を写真シール作成装置から取得する取得手段と、
上記特徴量情報を参照して、上記人物の顔の表情を判別する判別手段と、
上記判別手段による判別結果を、上記編集画像に関連づけて管理する管理手段と、を備えている、
ことを特徴とする画像管理システム。
【請求項１２】
画像を管理する管理サーバの画像管理方法であって、
人物を撮影して生成された撮影画像に対して編集処理を施して得られた編集画像、及び、当該撮影画像における当該人物の顔の特徴量を示す第１特徴量情報を写真シール作成装置から取得する取得ステップと、
上記第１特徴量情報を参照して、上記人物の顔の表情を判別する判別ステップと、
上記判別ステップにおける判別結果を、上記編集画像に関連づけて管理する管理ステップと、を含んでいる、
ことを特徴とする画像管理方法。
【請求項１３】
人物を撮影する写真シール作成装置の画像送信方法であって、
上記人物を撮影して生成された撮影画像に対して編集処理を施すことにより編集画像を生成する画像生成ステップと、
上記撮影画像における上記人物の顔の特徴量を示す特徴量情報を抽出する抽出ステップと、
上記編集画像および上記特徴量情報を外部へ送信する送信ステップと、を含んでいる、
ことを特徴とする画像送信方法。
【請求項１４】
請求項６から８の何れか１項に記載の写真シール作成装置としてコンピュータを機能させるためのプログラムであって、コンピュータを上記各手段として機能させるためのプログラム。
【請求項１５】
請求項１４に記載のプログラムを記録したコンピュータ読み取り可能な記録媒体。
【発明の詳細な説明】
【技術分野】
【０００１】
本発明は、画像を管理する管理サーバ、写真シール作成装置、管理サーバ及び写真シール作成装置を備える画像管理システム、管理サーバの画像管理方法、並びに、写真シール作成装置の画像送信方法に関する。また、そのような写真シール作成装置としてコンピュータを動作させるためのプログラム、及び、記録媒体に関する。
【背景技術】
【０００２】
近年、写真シール作成装置を利用するユーザに対し、ユーザを撮影した画像の印刷されたプリントシールを提供するサービスと併せて、様々なサービスの提供が広がってきている。
【０００３】
例えば、下掲の特許文献１には、本発明は、撮影者がこれから撮影しようと考える写真の撮影状態を示す情報を、写真プリント及びデジタル画像などをスキャナなどから取得し、取得した情報の構図などを撮影者に提示することにより、撮影者の撮影をガイドする構成が記載されている。
【先行技術文献】
【特許文献】
【０００４】
【特許文献１】特開２０１０−０６８２０７号公報
【発明の概要】
【発明が解決しようとする課題】
【０００５】
しかし、従来の技術では、ユーザが写真シール作成装置の提供するサービスを楽しんでいるか否かが分からないといった問題がある。
【０００６】
本発明は、上記の課題を解決するためになされたものであり、その主たる目的は、写真シール作成装置を利用するユーザの顔の表情を判別することのできる管理サーバを提供することにある。
【課題を解決するための手段】
【０００７】
本発明の一態様に係る管理サーバは、上記の課題を解決するために、人物を撮影して生成された撮影画像、当該撮影画像に対して編集処理を施して得られた編集画像、及び、当該撮影画像における当該人物の顔の特徴量を示す第１特徴量情報を写真シール作成装置から取得する取得手段と、上記第１特徴量情報を参照して、上記人物の顔の表情を判別する判別手段と、上記判別手段による判別結果を、上記撮影画像および編集画像の少なくとも何れかに関連づけて管理する管理手段と、を備えている、ことを特徴としている。
【０００８】
上記の構成によれば、上記判別手段は、上記写真シール作成装置を利用した人物の顔の表情を判別する。このとき、上記判別手段は、上記撮影処理の施される前の画像である上記撮影画像における人物の顔の特徴量を参照して、当該人物の顔の表情を判別する。そして、上記管理手段は、上記判別手段による判別結果を上記編集画像に関連づけて管理することによって、上記編集画像における人物の顔の表情を、上記撮影画像における人物の顔の特徴量を参照して判別した表情により管理することができる。
【０００９】
したがって、上記管理サーバは、上記写真シール作成装置を利用した人物の顔の表情を判別することができる。また、これにより、上記管理サーバは、人物の顔の表情の判別結果を用いて、当該人物が写真シール作成装置の提供するサービスを楽しんでいたか否かを推定することができる。
【００１０】
本発明の一態様に係る管理サーバにおいて、上記判別手段は、上記第１特徴量情報の示す上記人物の顔の特徴量と、基準となる基準顔の特徴量とを比較することにより、上記人物の顔がどのような表情であるかを判別する、ことが好ましい。
【００１１】
上記の構成によれば、上記判別手段は、上記写真シール作成装置を利用した人物が、撮影される際にどのような表情であるかを判別することができる。したがって、上記管理サーバは、人物の顔の表情に基づき、当該人物が写真シール作成装置の提供するサービスを楽しんでいたかどうかを推定することができる。なお、人物の表情としては、例えば、笑顔、変顔、泣き顔、及び、無表情などを挙げることができる。
【００１２】
本発明の一態様に係る管理サーバにおいて、上記判別手段は、上記第１特徴量情報の示す上記人物の顔の特徴量と、基準となる基準顔の特徴量との差の大きさに応じて、上記人物の顔の表情の変化の度合いを判別する、ことが好ましい。
【００１３】
上記の構成によれば、上記判別手段は、上記人物の顔の変化の度合いを判別する。これにより、上記管理サーバは、上記人物が、写真シール作成装置の提供するサービスをどの程度楽しんでいたかを推定することができる。例えば、上記人物の顔の変化の度合いが大きい場合には当該人物がサービスを楽しんでいる度合いが大きいと推定し、表情の変化の度合いが小さい場合には当該人物がゲームを楽しんでいる度合いが小さいと推定することができる。
【００１４】
本発明の一態様に係る管理サーバにおいて、上記第１特徴量情報の示す上記特徴量には、上記人物の顔の各部位の位置情報、形状情報、及び大きさ情報の少なくとも何れかが含まれており、上記編集画像から当該編集画像における上記人物の顔の特徴量であって、上記第１特徴量情報に含まれる情報と同じ情報を１つ以上含む特徴量を検出する検出手段を更に備え、上記管理手段は、上記検出手段により検出された上記編集画像における上記人物の顔の特徴量を示す第２特徴量情報を、上記第１特徴量情報および上記編集画像、上記編集画像に関連づけて管理する、ことが好ましい。
【００１５】
上記の構成によれば、上記管理手段は、上記編集画像に上記第１特徴量情報及び上記第２特徴量情報を関連づけて管理する。従って、上記管理サーバは、上記編集画像における人物が、編集処理を施す前の上記撮影画像における当該人物の顔に対してどのような編集処理を施したのかを上記第１特徴量情報及び上記第２特徴量情報を参照して推定することができる。例えば、編集画像に関連付けられた第２特徴量情報が笑顔を示す場合には、当該編集画像はユーザが喜んで編集を行った画像であり、当該編集画像の編集処理はユーザにとって満足度の高い編集処理であると推定できる。これにより、上記管理サーバは、例えば、当該人物が自身の顔に対してどのような編集を望んでいるか、及び、どのような編集処理を施すことが流行っているかなどを推定することができる。
【００１６】
本発明の一態様に係る管理サーバにおいて、上記編集画像の面積に対する当該編集画像における上記人物の顔の面積の割合を判定する顔面積判定手段を更に備え、上記管理手段は、上記顔面積判定手段による判定結果を、上記編集画像に関連づけて管理する、ことが好ましい。
【００１７】
上記の構成によれば、上記管理サーバは、上記顔面積判定手段による判定結果に基づき、上記編集画像に対する上記人物の顔の面積の占める割合を、編集画像毎に管理することができる。
【００１８】
本発明の一態様に係る管理サーバにおいて、上記第１特徴量情報には、上記人物の顔の各部位の位置情報が含まれており、上記人物の顔の各部位の位置情報に基づいて当該人物の年齢を推定する推定手段を更に備えている、ことが好ましい。
【００１９】
上記の構成によれば、上記管理サーバは、上記推定手段により、上記写真シール作成装置を利用する人物の年齢を推定することができる。
【００２０】
本発明の一態様に係る管理サーバは、上記の課題を解決するために、人物を撮影して生成された撮影画像に対して編集処理を施して得られた編集画像、及び、当該編集処理の内容を示す編集情報を写真シール作成装置から取得する取得手段と、上記編集情報を参照して上記編集画像から上記撮影画像を復元し、復元した撮影画像から当該復元した撮影画像における上記人物の顔の特徴量を抽出する特徴量抽出手段と、上記編集画像と上記編集情報とを参照して、上記編集画像における上記人物の顔の表情を判別する判別手段と、上記判別手段による判別結果を、上記編集画像に関連づけて管理する管理手段と、を備えている、ことを特徴としている。
【００２１】
上記の構成によれば、上記特徴量抽出手段は、上記編集情報および上記編集画像から上記撮影画像を復元し、さらに、上記復元した撮影画像から上記人物の顔の特徴量を抽出する。そして、上記判別手段は、上記特徴量抽出手段により抽出された上記人物の顔の特徴量を参照して上記写真シール作成装置を利用した人物の顔の表情を判別する。
【００２２】
これにより、上記管理サーバは、人物の顔の表情の判別結果を用いて、当該人物が写真シール作成装置の提供するサービスを楽しんでいたか否かを推定することができる。また、上記管理サーバは、上記写真シール作成装置から上記編集画像における人物の顔の特徴量を取得しない場合であっても、上記人物の顔の表情を判別することができる。
【００２３】
本発明の一態様に係る写真シール作成装置は、上記の課題を解決するために、人物を撮影して生成された撮影画像に対して編集処理を施すことにより編集画像を生成する画像生成手段と、上記撮影画像における上記人物の顔の特徴量を抽出する抽出手段と、上記編集画像、及び、上記抽出手段により抽出された上記人物の顔の特徴量を示す特徴量情報を外部へ送信する送信手段と、を備えている、ことを特徴としている。
【００２４】
上記の構成によれば、上記写真シール作成装置は、上記編集処理の施される前の画像である上記撮影画像における人物の顔の特徴量を、上記編集画像と併せて送信することができる。これにより、上記編集画像を取得する装置において、上記編集画像における人物の顔の表情を判別する際に、上記撮影画像における人物の顔の特徴量を利用することができるため、上記編集処理前の人物の顔の特徴量から上記編集画像における人物の顔の表情を判別することができる。
【００２５】
本発明の一態様に係る写真シール作成装置において、上記特徴量情報を参照して、上記人物の顔の表情を判別する判別手段を更に備え、上記送信手段は、上記判別手段による判別結果を、上記撮影画像に関連づけて送信する、ことが好ましい。
【００２６】
上記の構成によれば、上記送信手段は、上記判別手段による判別結果を上記撮影画像と共に送信すればよい。これにより、上記写真シール作成装置は、編集画像を送信する際のデータ量を低減することができる。
【００２７】
本発明の一態様に係る写真シール作成装置において、撮影する際に当該撮影が実行される旨のアナウンスを出力する出力手段を更に備え、上記抽出手段は、上記撮影画像を生成するために取得される画像から当該画像における人物の顔の特徴量を抽出し、上記判別手段は、上記画像における人物の顔の特徴量を参照して、上記人物の顔の表情を判別し、上記出力手段は、上記判別手段による判定結果に応じて上記アナウンスを出力する、ことが好ましい。
【００２８】
上記の構成によれば、上記出力手段は、上記人物の表情の判別結果に応じて上記アナウンスを出力する。これにより、上記写真シール作成装置は、撮影する人物の表情に撮影のタイミングを合わせることができる。
【００２９】
本発明の一態様に係る画像管理システムは、上記の課題を解決するために、人物を撮影する写真シール作成装置と、画像を管理する管理サーバと、を備える画像管理システムであって、上記写真シール作成装置は、人物を撮影して生成された撮影画像に対して編集処理を施すことにより編集画像を生成する画像生成手段と、上記撮影画像における上記人物の顔の特徴量を抽出する抽出手段と、上記編集画像、及び、上記抽出手段により抽出された上記人物の顔の特徴量を示す特徴量情報を外部へ送信する送信手段と、を備え、上記管理サーバは、上記編集画像および上記特徴量情報を写真シール作成装置から取得する取得手段と、上記特徴量情報を参照して、上記人物の顔の表情を判別する判別手段と、上記判別手段による判別結果を、上記編集画像に関連づけて管理する管理手段と、を備えている、ことが好ましい。
【００３０】
上記の構成によれば、上記画像管理システムは、上記管理サーバ及び上記写真シール作成装置と同様の効果を奏することができる。
【００３１】
本発明の一態様に係る画像管理方法は、上記の課題を解決するために、画像を管理する管理サーバの画像管理方法であって、人物を撮影して生成された撮影画像に対して編集処理を施して得られた編集画像、及び、当該撮影画像における当該人物の顔の特徴量を示す第１特徴量情報を写真シール作成装置から取得する取得ステップと、上記第１特徴量情報を参照して、上記人物の顔の表情を判別する判別ステップと、上記判別ステップにおける判別結果を、上記編集画像に関連づけて管理する管理ステップと、を含んでいる、ことを特徴としている。
【００３２】
上記の構成によれば、上記画像管理方法は、上記管理サーバと同様の効果を奏することができる。
【００３３】
本発明の一態様に係る画像送信方法は、上記の課題を解決するために、人物を撮影する写真シール作成装置の画像送信方法であって、上記人物を撮影して生成された撮影画像に対して編集処理を施すことにより編集画像を生成する画像生成ステップと、上記撮影画像における上記人物の顔の特徴量を示す特徴量情報を抽出する抽出ステップと、上記編集画像および上記特徴量情報を外部へ送信する送信ステップと、を含んでいる、ことを特徴としている。
【００３４】
上記の構成によれば、上記画像送信方法は、上記写真シール作成装置と同様の効果を奏することができる。
【００３５】
本発明の各態様に係る端末装置は、コンピュータによって実現してもよく、この場合には、コンピュータを上記端末装置が備える各手段として動作させることによって上記端末装置をコンピュータにて実現させる端末装置のプログラム、およびそれを記録したコンピュータ読み取り可能な記録媒体も、本発明の範疇に入る。
【発明の効果】
【００３６】
本発明は、上述の構成を備えることにより、上記写真シール作成装置を利用した人物の顔の表情を判別することができるという効果を奏する。
【図面の簡単な説明】
【００３７】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態に係る画像管理部の要部構成を示すブロック図である。
【図１９】本発明の第１実施形態に係る管理サーバにおける表情判別処理に関する一連の処理の流れを示すフローチャートである。
【図２０】本発明の第１実施形態の変形例に係る写真シール作成装置における撮影アナウンスの出力に関する一連の処理の流れを示すフローチャートである。
【発明を実施するための形態】
【００３８】
〔実施形態１〕
本発明の第１実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３９】
（撮影画像管理システム１０）
図２は、本発明の第１実施形態に係る撮影画像管理システム１０の構成を示す図である。図２に示すように、撮影画像管理システム１０は、写真シール作成装置１、携帯端末６、および管理サーバ４を備えている。
【００４０】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００４１】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００４２】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００４３】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００４４】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００４５】
画像提供サイトへの画像保存後、ユーザは、携帯端末６または所望の他の装置を用いて画像提供サイトにログインして、画像をダウンロードすることができる。
【００４６】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００４７】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００４８】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４９】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００５０】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００５１】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００５２】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００５３】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００５４】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５５】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００５６】
図３に示す編集部１２の構成を正面側の構成とすると、２組のユーザが同時に編集することができるように、編集部１２の正面側と背面側には編集制御に用いられる構成がそれぞれ設けられる。
【００５７】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５８】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５９】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００６０】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００６１】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００６２】
（ユーザの移動）
写真シール作成ゲームの流れと、それに伴うユーザの移動について図５を参照して説明する。図５は、ユーザの移動について説明する図である。
【００６３】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００６４】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００６５】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６６】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００６７】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００６８】
画像の印刷が終了したとき、ユーザは、事後接客部１３に設けられた排出口からシール紙を受け取り、一連の写真シール作成ゲームを終えることになる。
【００６９】
（各部材の構成）
次に、写真シール作成装置１に備えられる各部材の構成について説明する。
【００７０】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００７１】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００７２】
正面パネル４１のほぼ中央には撮影・表示ユニット８１が設けられる。撮影・表示ユニット８１は、カメラ９１、正面ストロボ９２、およびタッチパネルモニタ９３から構成される。
【００７３】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００７４】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００７５】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７６】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００７７】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７８】
足元ストロボ８６の右側には、ユーザがお金を投入する硬貨投入返却口８７が設けられる。
【００７９】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００８０】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００８１】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８２】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８３】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００８４】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００８５】
（事後接客部１３）
編集部１２の左側には事後接客部１３が設けられる。図９は、写真シール作成装置１に備えられる事後接客部１３の構成例を示す図である。
【００８６】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００８７】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８８】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８９】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００９０】
スピーカ１６５は、事後接客時の案内音声、ＢＧＭ、効果音等の音を出力する。
【００９１】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９２】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００９３】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００９４】
通信部２０３はインターネットなどのネットワークのインタフェースであり、制御部２０１による制御に従って外部の装置と通信を行う。
【００９５】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９６】
ＲＯＭ２０６には、制御部２０１において実行されるプログラムおよびデータが記憶されている。ＲＡＭ２０７は、制御部２０１が処理するデータおよびプログラムを一時的に記憶する。
【００９７】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００９８】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９９】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【０１００】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【０１０１】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１０２】
カメラ９１は、制御部２０１による制御に従って撮影を行い、撮影によって得られた画像（画像）を制御部２０１に出力する。
【０１０３】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１０４】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１０５】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０６】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０７】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１０８】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１０９】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１１０】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【０１１１】
通信制御部３１１は、通信部２０３による外部の装置との通信を制御する。
【０１１２】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【０１１３】
編集制御部３１３は、編集部１２Ａおよび編集部１２Ｂによる画像に対する落書き編集等、写真シール作成ゲームにおけるユーザの編集制御に関する処理を制御する。
【０１１４】
印刷制御部３１４は、印刷部２１１によるシール紙の印刷等、写真シール作成ゲームにおけるユーザの印刷制御に関する処理を制御する。
【０１１５】
事後接客制御部３１５は、事後接客部１３による、編集作業を終了したユーザグループを接客する処理等、写真シール作成ゲームにおける事後接客に関する処理を制御する。
【０１１６】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１１７】
（制御部４０１の詳細）
図１に示すように、制御部４０１は、通信制御部４１１、メール作成部４１２、ウェブページ作成部４１３、および画像管理部４１４を備えている。
【０１１８】
（通信制御部４１１）
通信制御部４１１は、通信部４０３による通信を制御する。
【０１１９】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１２０】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１２１】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１２２】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１２３】
（記憶部４０２の詳細）
図１に示すように、記憶部４０２は、メールデータベース４２１、会員データベース４２２、ウェブページデータベース４２３、および画像データベース４２４を有している。
【０１２４】
（メールデータベース４２１）
メールデータベース４２１は、ユーザに送信するメールを作成するための各種データを格納している。
【０１２５】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などを挙げることができる。
【０１２６】
（ウェブページデータベース４２３）
ウェブページデータベース４２３は、携帯端末６に表示される画像提供サイトのウェブページを作成するための各種データを格納している。
【０１２７】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１２８】
図示はしないが、記憶部４０２は、写真シール作成装置１から受信した画像などのデータを一時的に保存する一時保存データベースも有している。
【０１２９】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１３０】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１３１】
（制御部６０１の詳細）
図１２に示すように、制御部６０１は、通信制御部６１１、入力制御部６１２、および表示制御部６１３を備えている。
【０１３２】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１３３】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１３４】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１３５】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１３６】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１３７】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１３８】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１３９】
この要求を受けて、管理サーバ４は、無料会員登録を完了させる。具体的には、管理サーバ４が、会員データベース４２２にユーザ用のアカウント領域（会員固有のデータを保存する記憶領域） を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１４０】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１４１】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１４２】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１４３】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１４４】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１４５】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１４６】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１４７】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１４８】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１４９】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１５０】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１５１】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１５２】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１５３】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１５４】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１５５】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１５６】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１５７】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１５８】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１５９】
図１５（ｃ）に示すように、ウェブページ１１０７は、一つのサムネイル画像１１０４、および、全ての画像を保存するためのリンク画像１１０８を含んでいる。
【０１６０】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１６１】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１６２】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１６３】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１６４】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１６５】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域 に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１６６】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１６７】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１６８】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１６９】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１７０】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１７１】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１７２】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１７３】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１７４】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１７５】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１７６】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１７７】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１７８】
携帯端末６の通信制御部６１１は、通信部６０３を通じて、送信された画像を受信し、記憶部６０２に保存する（ステップＳ３２）。以上により、携帯端末６への画像保存処理が完了する。
【０１７９】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１８０】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１８１】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１８２】
（表情の判別に関する構成）
以下に、撮影画像管理システム１０を構成する写真シール作成装置１及び管理サーバ４（画像管理システム）の各々における、写真シール作成装置１において生成された画像（編集済の画像（編集画像）を含む）の管理について説明する。本実施形態に係る写真シール作成装置１及び管理サーバ４は、上述の構成に加え、以降に記載する構成（機能）を備えている。
【０１８３】
（写真シール作成装置）
写真シール作成装置１の撮影制御部３１２及び編集制御部３１３は、画像生成手段として機能する。具体的には、撮影制御部３１２は、撮影空間Ａ１に居るユーザ（人物）を撮影することにより撮影画像を生成する。また、編集処理部３１３は、ユーザによる編集操作を受け付けることにより、撮影画像に対して編集処理を施して編集画像を生成する。
【０１８４】
また、撮影制御部３１２は、生成した撮影画像におけるユーザの顔の特徴量を抽出する抽出手段としても機能する。ここで、顔の特徴量とは、顔の各部位（例えば、目、鼻および口など）の位置を示す位置情報、形状を示す形状情報、及び、大きさを示す大きさ情報などを指し、撮影制御部３１２は、これらの情報のうち少なくとも何れかを特徴量として抽出すればよい。また、位置情報、形状情報及び大きさ情報は、顔の各部位における基準点から各特徴点までの距離及び方向を示す特徴量ベクトルなどにより示されていてもよい。ここで、顔の各部位の相互の位置関係を示すために、各部位の所定の位置（例えば、顎の先端、及び、鼻の中央の点など）を基準点として定めることが好ましい。なお、本実施形態では、特徴量として少なくとも位置情報が含まれる場合を例に説明する。
【０１８５】
なお、顔の特徴量は、例えば、ユーザの顔を認識した結果に基づいて算出することができる。この場合には、撮影制御部３１２は、ユーザを撮影して生成した撮影画像に含まれる各ユーザの顔毎に顔認識処理を行うと共に、顔認識の結果に基づいて顔の各部位の判定し、顔の各部位の特徴量を各ユーザの顔毎に算出する。そして、撮影制御部３１２は、算出した特徴量を、撮影画像および顔認識された顔領域と関連付けてＲＡＭ２０７に一時的に保存する。
【０１８６】
そして、通信制御部３１１（送信手段）は、編集制御部３１３において生成された編集画像、及び、撮影制御部３１２において抽出（算出）された特徴量を示す編集前特徴量情報（第１特徴量情報）を、通信部２０３を通じて管理サーバ４へ送信する。
【０１８７】
（管理サーバ）
管理サーバ４の通信制御部４１１（取得手段）は、編集画像および編集前特徴量情報を、通信部４０３を通じて写真シール作成装置１から取得する。
【０１８８】
ここで、本実施形態に係る画像管理部４１４の構成について、図１８を参照して説明する。図１８は、本実施形態に係る画像管理部４１４の要部構成を示すブロック図である。図１８に示すように、画像管理部４１４は、表情判定部４４１（判別手段）、及び、管理部４４２（管理手段）を備えている。
【０１８９】
表情判別部４４１は、写真シール作成装置１から取得した編集前特徴量情報を参照して、ユーザの顔の表情を判別する。換言すれば、表情判別部４４１は、編集画像におけるユーザの顔の表情を、当該ユーザの撮影画像における顔の表情（すなわち、編集される前の表情）から判別することができる。
【０１９０】
このように、表情判定部４４１は、写真シール作成装置１から、撮影直後の画像（換言すれば、ユーザの顔に対する修正（編集）（以降、顔修正とも記載する）が施される前の画像であって、本実施形態では撮影画像）から抽出された特徴量（編集前特徴量情報）を取得する。これにより、表情判定部４４１は、顔修正の影響を受けずにユーザの表情を判定することができる。なお、表情判定部４４１の取得する情報は編集前特徴量情報に限定されるものではなく、例えば、写真シール作成装置１における落書前（編集前）の画像であって撮影画像のユーザの顔に修正処理（例えば、目を大きくするような修正処理）が施された後の画像から抽出された特徴量を示す情報を写真シール作成装置１から取得してもよい。
【０１９１】
また、表情判定部４４１は、編集前特徴量情報の示すユーザの顔の特徴量と、判別の基準となる基準顔の特徴量（基準特徴量）とを比較することによって、当該ユーザの顔の表情がどのような表情であるか（例えば、笑顔であるか、変顔であるか、泣き顔であるか、及び、無表情であるかなど）を判別する。
【０１９２】
例えば、表情判定部４４１は、判定基準となる統計データを基準特徴量として、当該統計データ、及び、編集前特徴量情報の示すユーザの顔の各部位の特徴量ベクトルから判定する。判定基準となる統計データとは、例えば、１０代から６０代までの相当数の男女の笑い顔、泣き顔、及び、無表情などの顔画像データの分布を調べて、そのデータから標準的な特徴量の代表値を割り出すことにより得られるデータである。表情判定部４４１は、統計データの値を参照して、特徴量ベクトルがどの統計データの値に近いかを判定することにより、表情判別する。また、表情判定部４４１は、ユーザの顔の口角の上がり、目じりの下がり、歯が見えているか、えくぼが出ているか、及び、目が細くなっているか、など、顔の各部位の形状変化に基づいて、ユーザの表情を判別することもできる。
【０１９３】
管理部４４２は、表情判別部４４１による判別結果を、編集画像に関連付けて管理する。本実施形態では、管理部４４２は、判別結果を関連づけた編集画像を記憶部４０２の画像データベース４２４に格納することにより管理するが、もちろん、外部の記録装置に格納することにより管理してもよい。また、基準顔及び基準特徴量を示す基準特徴量情報は、例えば、記憶部４０２に格納されていればよい。なお、基準特徴量には、基準顔の各部位の位置情報、形状情報、及び大きさ情報が全て含まれていることが好ましいが、少なくとも何れかが含まれていればよい。
【０１９４】
このように、管理サーバ４は、ユーザの顔の表情を判別することにより、ユーザが写真シール作成装置１を利用する際に、写真シール作成装置１が提供するサービス（ゲーム）を楽しんでいるか否かを推定することができる。例えば、ユーザの顔の表情が無表情であると判別された場合には、ユーザがゲームを楽しめていなかったと推定してもよいし、ユーザの顔の表情が無表情以外の表情である（又は、無表情でない）と判別された場合には、ユーザがゲームを楽しんでいたと推定してもよい。
【０１９５】
さらに、表情判定部４４１は、ユーザの顔の特徴量と、基準特徴量との差の大きさに応じて、ユーザの顔の表情の変化の度合いを判別してもよい。ここで、表情の変化の度合いとは、ユーザの顔の表情の無表情な状態からの変化の度合いを指す。本実施形態では、表情判定部４４１は、基準特徴量をユーザの表情の無表情な状態における特徴量とみなし、ユーザの表情の特徴量と基準特徴量との差の大きさに応じて表情の変化の度合いを判別している。
【０１９６】
また、表情判定部４４１は、統計データを基準特徴量として、ユーザの顔の特徴量からユーザの表情の変化の度合いを判別してもよい。この場合には、表情の変化の度合いとは、ユーザの顔の特徴量と統計データの表す顔の特徴量との差の度合いを指す。例えば、ユーザの顔が笑顔であるとき、ユーザの顔の特徴量が統計データの表す顔の特徴量よりも大きい場合に、ユーザの笑顔が統計データの表す笑顔よりも笑顔の度合いが大きいと判定することができる。なお、ユーザの表情の変化の度合いの判別方法はこれらに限定されるものではなく、他の既存の技術を用いることができる。
【０１９７】
ユーザの顔の表情が、笑顔、変顔、及び、泣き顔などである場合には、表情判定部４４１は、表情の変化の度合いとして、笑顔度、変顔度、及び、泣き顔度などを判別すればよい。例えば、表情判別部４４１は、ユーザの顔の特徴量と基準特徴量との差が小さい場合には、表情の変化の度合い（笑顔度など）が小さいと判別し、差が大きい場合には、表情の変化の度合い（笑顔度など）が大きいと判別することができる。
【０１９８】
このように、表情の度合いを判別することにより、管理サーバ４は、ユーザの顔の表情の度合いを判別することにより、写真シール作成装置１が提供するサービス（ゲーム）を、ユーザがどの程度楽しんでいるか否かを推定することができる。例えば、表情の変化の度合いが大きい場合には、ユーザがゲームを楽しんでいる度合いが大きいと推定し、表情の変化の度合いが小さい場合には、ユーザがゲームを楽しんでいる度合いが小さいと推定することができる。
【０１９９】
なお、写真シール作成装置１は、上述のように、撮像画像と共に編集前特徴量情報を送信するため、撮像画像と共に撮影画像を送信する場合よりも、送信するデータ量を低減することができる。
【０２００】
（表情判別処理に関する一連の処理）
ここで、管理サーバ４における、ユーザの顔の表情を判別するための処理（以降、表情判別処理）に関する一連の処理の流れについて、図１９を参照して説明する。図１９は、本実施形態に係る管理サーバ４における表情判別処理に関する一連の処理の流れを示すフローチャートである。
【０２０１】
まず、管理サーバ４の通信制御部４１１は、通信部４０３を通じて、写真シール作成装置１から、編集画像および編集前特徴量情報を取得する（ステップＳ１０１）。
【０２０２】
編集画像および編集前特徴量情報を取得すると、画像処理部４１４の表情判別部４４１は、取得した編集前特徴量情報を参照して、編集画像における１人以上のユーザの顔の表情を判別する表情判別処理を実行する（ステップＳ１０２）。なお、表情判別処理については後述するが、表情判別処理において、表情判別部４４１は、ユーザの顔がどのような表情であるか、などを判別する。
【０２０３】
表情判別処理が実行されると、管理部４４２は、表情判別処理における判別結果を、ステップＳ１０１において取得した編集画像に関連づけて、画像データベース４２４に格納する（ステップＳ１０３）。これにより、表情判定処理において判定されたユーザの表情が、例えば「笑顔」である場合には、編集画像に対して表情判別結果として「笑顔」が関連付けて画像データベース４２４に格納されることになる。
【０２０４】
なお、ここではステップＳ１０２においてユーザの顔の表情を判別する構成を例に説明したが、ステップＳ１０２においてユーザの顔の表情の変化の度合いを判別する構成とすることもできる。
【０２０５】
（表情判定処理）
次に、図１９に示すステップＳ１０２における、表情判別処理の流れについて簡単に説明する。
【０２０６】
表情判別処理において、表情判定部４４１は、まず、編集前特徴量情報から、ユーザの顔の特徴量として含まれている、ユーザの顔の各部位の位置情報を抽出する。また、特徴量情報にユーザの顔の各部位の形状情報、大きさ情報などが含まれている場合には、表情判定部４４１は、これらの情報も併せて抽出する。
【０２０７】
表情判定部４４１は、編集前特徴量情報から上記の各情報を抽出すると、次に、基準特徴量を、記憶部４０２から読み出す。ここで、表情判定部４４１は、編集前特徴量情報から抽出された情報が位置情報である場合には、基準特徴量から位置情報を読み出せばよい。また、編集前特徴量情報から位置情報に加えて形状情報および大きさ情報が抽出された場合には、基準特徴量から位置情報、形状情報および基準大きさ情報を読み出せばよい。
【０２０８】
そして、表情判別部４４１は、抽出した顔の各部位の位置情報と、読み出した基準顔の各部位の位置情報とを比較し、ユーザの顔の表情を判別する。例えば、表情判定部４４１は、ユーザの顔の目尻や口角などの位置情報と基準顔の目尻や口角などの位置情報とを比較することで、ユーザの顔の表情が、笑顔、変顔、及び、泣き顔などであるか、又は、無表情であるかなどを判別することができる。なお、表情の判別ついては、既存の技術を用いることができるため、ここでは詳細な説明については省略する。
【０２０９】
なお、本実施形態では、管理サーバ４において、写真シール作成装置１から取得した編集前特徴量情報を参照してユーザの顔の表情を判別する構成を例に挙げて説明したが、これに限定されるものではない。例えば、管理サーバ４は、写真シール作成装置１から、編集制御部３１３において撮影画像に施された編集処理の内容を示す編集情報を編集画像と共に取得し、取得した編集情報及び編集画像を参照してユーザの顔の表情を判別する構成を採用することもできる。
【０２１０】
ここで、編集情報には、編集画像におけるユーザの顔の各部位を、撮影画像におけるユーザの顔の各部位から、どの程度移動させているか、どの程度形状を変化させているか、及び、どの程度大きさを変更しているか、などの情報が含まれている。
【０２１１】
この場合には、管理サーバ４の表情判別部４４１（特徴量抽出手段）は、まず、編集情報に基づいて編集画像に施された編集内容を抽出し、抽出した編集内容から編集処理の施された部分について、編集処理の施される前の画像（つまり、撮影画像）を復元する。そして、表情判別部４４１は、算出した撮影画像におけるユーザの顔の特徴量を抽出すればよい。これにより、上述した構成と同様にして、ユーザの顔の表情を判別することができる。
【０２１２】
もちろん、管理サーバ４は、写真シール作成装置１から撮影画像を直接取得してもよい。この場合には、表情判別部４４１は、取得した撮影画像から当該撮影画像におけるユーザの顔の特徴量を抽出すればよい。
【０２１３】
（その他の構成）
本実施形態では、表情判別部４４１は、さらに、編集画像から、当該編集画像におけるユーザの顔の特徴量を検出する検出手段としても機能してもよい。このとき、表情判定部４４１は、編集前特徴量情報の示す特徴量に含まれる各情報と同じ情報が１つ以上含まれるように編集画像におけるユーザの顔の特徴量を検出することが好ましい。
【０２１４】
この場合には、管理部４４２は、表情判別部４４１において検出された編集画像におけるユーザの顔の特徴量を示す編集後特徴量情報（第２特徴量情報）を、編集前特徴量情報および編集画像と関連付けて管理する。これにより、制御部４０１において編集前特徴量情報の示す特徴量と編集後特徴量情報の示す特徴量とを比較することによって、管理サーバ４は、編集画像におけるユーザが編集処理を施す前の撮影画像におけるユーザの顔に対してどのような編集処理を施したのかを推定することができる。また、これにより、管理サーバ４は、ユーザが自身の顔に対してどのような編集を望んでいるか、及び、どのような編集処理を施すことがユーザの仲間の中で流行っているかなどを推定することができる。
【０２１５】
そして、ユーザ毎にユーザのよく行う編集内容（例えば、ユーザの顔の各部位について、位置を変更する編集、形状を変更する編集、及び大きさを変更する編集など）を管理し、当該管理内容を写真シール作成装置１に通知してもよい。これによれば、写真シール作成装置１において、ユーザ毎にユーザの嗜好に沿った顔修正などの編集内容を提案したり、自動で編集処理を施したりすることもできる。
【０２１６】
また、写真シール作成装置１において、表情の感情に即した編集画面の構成や合成用画像の種類を提案してもよい。具体的には、ユーザの表情が笑顔であるときにはＰＯＰやカラフルな色の合成用画像をお勧めし、ユーザの表情が泣き顔であるときには暗い色の合成用画像をお勧めする。また、表情の感情とは反対の編集画面の構成や合成用画像の種類を提案してもよい。さらに、ユーザの年齢（又は年齢層）に応じて、編集画面の構成や合成用画像の種類を変えてもよい。例えば、ユーザが中学生である場合にはかわいらしいもの、高校生である場合には華やかでよく盛れる（デコレーションできる、或いは、編集処理が上手くできる）もの、大学生である場合には、大人びたシンプルなものなどを挙げることができる。
【０２１７】
また、表情判別部４４１は、編集画像の面積に対する当該編集画像におけるユーザの顔の面積の割合を判定する顔面積判定手段としても機能してもよい。このとき、表情判定部４４１は、編集画像の面積に対する当該編集画像におけるユーザの顔の面積の割合が、所定の割合以上である場合に、ユーザの顔のアップが含まれる編集画像（アップ画像）であると判定すればよい。
【０２１８】
この場合には、管理部４４２は、顔面積判定手段として機能する表情判別部４４１によるアップ画像であるか否かの判定結果を、編集画像と関連づけて画像データベース４２４に格納することにより管理する。これによれば、例えば、制御部４０１において画像データベース４２４に格納されている各編集画像に関連付けられているアップ画像か否かの判定結果を集計することにより、写真シール作成装置１においてアップ画像が撮影される割合などを算出することができる。
【０２１９】
さらに、表情判別部４４１は、編集前特徴量情報の示す特徴量のうちユーザの顔の各部位の位置情報に基づいて、当該ユーザの年齢を推定する推定手段として機能してもよい。人の顔の各部位は、年齢が低い頃には顔の中央に寄っており、年齢が高くなるにつれて顔の中央から離れていく傾向にあることが一般に知られているため、表情判別部４４１は、位置情報に基づいてユーザの年齢を推定することができる。なお、表情判別部４４１は、年齢を推定する代わりに、例えば、１０代、２０代、又は３０代など、ユーザの属する年齢層を推定してもよい。
【０２２０】
また、表情判別部４４１は、撮影画像におけるユーザの顔の特徴量と、年齢を推定するための基準となる年齢推定基準データとを比較することにより年齢を推定してもよい。年齢推定基準データとは、例えば、１０代から６０代までの相当数の男女の顔画像データに基づいて年齢に対する顔の特徴量の分布を調べて、そのデータから性別及び年齢毎の標準的な顔の特徴量の代表値を割り出すころにより得られるデータである。表情判別部４４１は、年齢推定基準データを参照して、撮影画像におけるユーザの顔の特徴量が、何れの性別の何れの年齢の特徴量の代表値に近いかを判定することにより、ユーザの年齢を推定することができる。
【０２２１】
これにより、管理サーバ４は、写真シール作成装置１を利用するユーザの年齢（又は年齢層）を管理することができる。
【０２２２】
〔変形例〕
実施形態１では、サーバ装置４においてユーザの顔の表情を判別する構成を例に挙げて説明したが、これに限定されるものではなく、写真シール作成装置１においてユーザの顔の表情を判別する構成を採用することもできる。本変形例に係る写真シール作成装置１、および、管理サーバ４の構成について、以下に説明する。
【０２２３】
（写真シール作成装置）
写真シール作成装置１の撮影制御部３１２は、実施形態１と同様に、撮影画像におけるユーザの顔の特徴量を抽出する抽出手段として機能する。また、本変形例では、撮影制御部３１２は、編集前特徴量情報を参照して（つまり、抽出したユーザの顔の特徴量を参照して）、ユーザの顔の表情を判別する判別手段としても機能する。
【０２２４】
この場合には、通信制御部３１１は、撮影制御部３１２による判別結果を、編集画像に関連づけて、管理サーバ４に送信する。
【０２２５】
これによって、写真シール作成装置１は、管理サーバ４に編集画像を送信する際のデータ量を低減することができる。
【０２２６】
また、本変形例に係る編集制御部３１３は、ユーザの表情を、統計データに基づいた基準となる表情に修正できる機能を実装していてもよい。例えば、編集制御部３１３は、撮影画像のユーザの顔を、統計データに基づいた笑顔、泣き顔、無表情、及び、アルカイックスマイルなどに変換することができてもよい。
【０２２７】
（管理サーバ）
管理サーバ４の通信制御部４１１は、編集画像および写真シール作成装置１による判別結果を、通信部４０３を通じて写真シール作成装置１から取得する。
【０２２８】
この場合には、画像管理部４１４は、管理部４４２のみを備えていればよく、管理部４４２は、取得した編集画像および判別結果を関連づけて記憶部４０２の画像データベース４２４に格納することにより管理すればよい。
【０２２９】
もちろん、画像管理部４１４は、本変形例においても表情判別部４４１を備えていることにより、上述したように、編集画像におけるユーザの顔の特徴量の検出、アップ画像の割合の判定、及び、ユーザの年齢の推定などを行うことができる。
【０２３０】
（撮影アナウンス）
さらに、本変形例に係る写真シール作成装置１は、ユーザの顔の表情の判別結果に応じて、ユーザを撮影する際に当該撮影が実行される旨のアナウンス（案内音声）（以降、撮影アナウンス）を出力してもよい。以下に、ユーザの顔の判別結果に応じて撮影アナウンスを出力する構成について説明する。
【０２３１】
写真シール作成装置１の撮影制御部３１２は、撮影画像を生成するためにカメラ９１によって取り込まれた画像（本変形例においては、動画像）から、当該画像におけるユーザの顔の特徴量（以降、撮影前特徴量）を抽出する抽出手段としても機能する。そして、撮影制御部３１２は、抽出した撮影前特徴量を参照して、ユーザの顔の表情を判別する。これにより、写真シール作成装置１は、撮影前のユーザの表情を判別する。
【０２３２】
そして、撮影部２１に設けられているスピーカ２２４は、出力手段として機能する制御部２０１の制御に従って、撮影アナウンスを出力する。具体的には、撮影制御部３１２においてユーザの表情が無表情でないと判別された場合に、制御部２０１は、スピーカ２２４から撮影アナウンスが出力されるようスピーカ２２４を制御する。なお、制御部２０１は、撮影制御部３１２においてユーザの表情の変化の度合いが所定の閾値以上であると判定された場合に、撮影アナウンスを出力するようスピーカ２２４を制御してもよい。
【０２３３】
これにより、写真シール作成装置１は、ユーザの表情が無表情でなくなったこと（換言すれば、笑顔や変顔などになったこと）を契機として、撮影アナウンスを出力した上でユーザを撮影することができる。換言すれば、写真シール作成装置１は、撮影のタイミングをユーザの表情に合わせることができる。
【０２３４】
また、写真シール作成装置１は、ユーザの表情を判定することによってユーザが楽しんでいると判定した場合には、例えば「楽しそうだね」というようなアナウンスをスピーカ２２４から出力してもよいし、タッチパネルモニタ９３に表示してもよい。また、ユーザが楽しんでいないと判定した場合には、例えば「楽しんでね」というようなアナウンスをスピーカ２２４から出力してもよいし、タッチパネルモニタ９３に表示してもよい。
【０２３５】
さらに、写真シール作成装置１は、編集部１２にユーザを撮影する手段（カメラなど（不図示））を備えている場合には、編集空間Ａ２に居るユーザの表情を判定することによりユーザが楽しんでいるか否かを判定してもよい。この場合には、判定結果に応じて、「楽しそうだね」又は「楽しんでね」といったアナウンスをスピーカ２３１から出力してもよいし、タブレット内蔵モニタ１３１に表示してもよい。
【０２３６】
（撮影アナウンスの出力に関する処理）
ここで、写真シール作成装置１における、ユーザの顔の表情の判別結果に応じた撮影アナウンスの出力に関する一連の処理の流れについて、図２０を参照して説明する。図２０は、本変形例に係る写真シール作成装置１における撮影アナウンスの出力に関する一連の処理の流れを示すフローチャートである。
【０２３７】
図２０に示すように、写真シール作成装置１は、まず、撮影空間Ａ１に存在するユーザを、静止画像により撮影する前の時点から、カメラ９１により動画像にて取り込む（ステップＳ１１１）。
【０２３８】
次に、撮影制御部３１２は、カメラ９１により取り込まれた動画像におけるユーザの顔の表情が、無表情であるか否かを判定する（ステップＳ１１２）。なお、撮影制御部３１２は、ユーザの顔の表情が無表情であると判定した場合には（ステップＳ１１２においてＹＥＳ）、ユーザの顔の表情が無表情でないと判定されるまで、ステップＳ１１２における判定を繰り返す。
【０２３９】
ユーザの顔の表情が無表情でないと判定した場合（ステップＳ１１２においてＮＯ）、撮影制御部３１２は、判定結果を制御部２０１に通知する。撮影制御部３１２から判定結果の通知を取得すると、制御部２０１は撮影アナウンスを出力するようにスピーカ２２４を制御し、スピーカ２２４は制御部２０１の制御に従って撮影アナウンスを出力する（ステップＳ１１３）。
【０２４０】
撮影アナウンスが出力されると、撮影制御部３１２は、カメラ９１によって取り込まれた動画像を静止画像として保存することにより、撮影空間Ａ１に存在するユーザを撮影する。
【０２４１】
また、写真シール作成装置１は、表情判定部４４１においてユーザの表情の判別結果（又は、表情の変化の度合い（笑顔度および泣き顔度など））に応じて盛り上がり度を判定し、判定した盛り上がり度を示す値をタッチパネルモニタ９３に表示してもよい。このとき、タッチパネルモニタ９３に表示される盛り上がり度を示す値は、現在のユーザの盛り上がり度を示す値であってもよいし、所定の期間毎に判定されるユーザの盛り上がり度を当該盛り上がり度が判定される度に加算された値であってもよい。
【０２４２】
（携帯サイト）
本変形例に係る携帯端末６は、管理サーバ４において判定された編集画像におけるユーザの顔の表情の判定結果を参照して、当該編集画像に対応する撮影画像（又は編集画像そのもの）におけるユーザの顔の表情を変更することができる。この場合には、管理サーバ４の画像データベース４２４において、編集画像におけるユーザの顔の表情の判別結果を示す判別情報が、編集画像及び編集画像に対応する撮影画像に関連付けて保存されていればよい。
【０２４３】
具体的には、携帯端末６は、管理サーバ４において管理されている画像を閲覧するための画像閲覧用アプリケーション（又は一般的なウェブブラウザなど）を用いて管理サーバ４にアクセスし、撮影画像および当該撮影画像に関連づけられている判別情報を取得する。そして、携帯端末６は、撮影画像におけるユーザの表情を、例えば、笑顔、泣き顔、又は、無表情などに変更する。なお、携帯端末６は、変更する表情の候補を表示部６０５に一覧表示し、ユーザの選択操作を入力部６０４を介して受け付けることによって、変更後の表情を決定してもよい。
【０２４４】
携帯端末６において撮影画像から表情が変更された新たな画像は、管理サーバ４の画像データベース４２４に保存される。これにより、ユーザは、携帯端末６において画像閲覧用アプリケーション（又は一般的なウェブブラウザなど）を用いて管理サーバ４の提供する画像提供サイトにアクセスすることにより、表情が変更された新たな画像を携帯端末６により閲覧して楽しむことができる。
【０２４５】
また、写真シール作成装置１において生成された撮影画像、及び、顔の特徴量情報などが編集画像に関連付けられて管理サーバ４において管理されることによって、本変形例に係る携帯端末６は、画像提供サイトにおいて、画像（編集画像及び撮影画像）におけるユーザの顔の各部位に対して修正及び微調整を施すこともできる。また、携帯端末６は、画像提供サイトにおいて画像に対して施した修正を元に戻す（修正が施される前の画像の状態に戻す）こともできる。
【０２４６】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２４７】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２４９】
本発明は、写真シール作成装置において作成されたユーザの撮影画像を管理サーバに保存する撮影画像管理システムとして、幅広く利用することができる。
【符号の説明】
【０２５０】
１  写真シール作成装置
４  管理サーバ
６  携帯端末
１１  撮影ユニット
１２  編集部
１３  事後接客部
２１  撮影部
２０１  制御部
３１１  通信制御部（送信手段）
３１２  撮影制御部（画像生成手段、抽出手段、判別手段）
３１３  編集制御部（画像生成手段）
３１４  印刷制御部
３１５  事後接客制御部
４０１  制御部（出力手段）
４０２  記憶部
４０３  通信部
４１１  通信制御部（取得手段）
４１２  メール作成部
４１３  ウェブページ作成部
４１４  画像管理部
４４１  表情判別部（判別手段、検出手段、顔面積判定手段、推定手段、特徴量抽出手段）
４４２  管理部（管理手段）
６０１  制御部
６０２  記憶部
６０３  通信部
６０４  入力部
６０５  表示部
６１１  通信制御部
６１２  入力制御部
６１３  表示制御部
【図１】
2015180016.tif 000003
【図２】
2015180016.tif 000004
【図３】
2015180016.tif 000005
【図４】
2015180016.tif 000006
【図５】
2015180016.tif 000007
【図６】
2015180016.tif 000008
【図７】
2015180016.tif 000009
【図８】
2015180016.tif 000010
【図９】
2015180016.tif 000011
【図１０】
2015180016.tif 000012
【図１１】
2015180016.tif 000013
【図１２】
2015180016.tif 000014
【図１３】
2015180016.tif 000015
【図１４】
2015180016.tif 000016
【図１５】
2015180016.tif 000017
【図１６】
2015180016.tif 000018
【図１７】
2015180016.tif 000019
【図１８】
2015180016.tif 000020
【図１９】
2015180016.tif 000021
【図２０】
2015180016.tif 000022